(57)【要約】【課題】可撓性があり且つ耐久性が高いフレキシブル表示素子を提供する。【解決手段】有機ＥＬ層１と、有機ＥＬ層１の一面側に設置された第１透明電極１１と、有機ＥＬ層１の他面側に設置された第２透明電極１２と、第１透明電極１１の一面側に設置された第１フレキシブル・ガラス基板２１と、第２透明電極１２の他面側に設置された第２フレキシブル・ガラス基板２２と、側面をシールするシール材３０とを具備する。【効果】厚さ１０μｍ以上のガラス基板で挟むように光学体層を封止するため、光学体層が必要とする低い酸素透過度と低い水分透過度が得られ、耐久性が高くなる。ガラス基板は、厚さ１００μｍ以下で、可撓性があるため、可撓性のあるフレキシブル表示素子と出来る。【選択図】  図１
2005019082.tif 000002
【特許請求の範囲】
【請求項１】
光学特性が電気的に変わる光学体層と、前記光学体層の一面側に設置された透明の第１電極と、前記光学体層の他面側に設置された第２電極と、前記第１電極の一面側に設置された厚さ１０μｍ〜１００μｍの可撓性を有する第１フレキシブル・ガラス基板と、前記第２電極の他面側に設置された厚さ１０μｍ〜１００μｍの可撓性を有する第２フレキシブル・ガラス基板とを具備したことを特徴とするフレキシブル表示素子。
【請求項２】
請求項１に記載のフレキシブル表示素子において、前記光学体層が、有機ＥＬ層であることを特徴とするフレキシブル表示素子。
【請求項３】
請求項１または請求項２に記載のフレキシブル表示素子において、前記第１フレキシブル・ガラス基板および前記第２フレキシブル・ガラス基板の少なくとも一方に補強樹脂層を積層したことを特徴とするフレキシブル表示素子。
【請求項４】
請求項１または請求項２に記載のフレキシブル表示素子において、前記光学体層の両面に保護樹脂層を積層したことを特徴とするフレキシブル表示素子。
【請求項５】
請求項１から請求項４のいずれかに記載のフレキシブル表示素子において、前記フレキシブル・ガラス基板は、パイレックス・ガラス板またはテンパックス・ガラス板を研磨して厚さ１０μｍ〜１００μｍとしたものであることを特徴とするフレキシブル表示素子。
【発明の詳細な説明】
【０００１】
【発明の属する技術分野】
本発明は、フレキシブル表示素子に関し、さらに詳しくは、可撓性があり且つ耐久性が高いフレキシブル表示素子に関する。
【０００２】
【従来の技術】
従来、有機ＥＬ層と、有機ＥＬ層の一面側に設置された透明電極と、有機ＥＬ層の他面側に設置された電極と、透明電極の一面側に設置されたガラス基板と、そのガラス基板に被せて全体をシールする凹状キャップガラスとを具備した有機ＥＬ素子が知られている（例えば、特許文献１参照。）。
他方、有機ＥＬ層と、有機ＥＬ層の一面側に設置された透明電極と、有機ＥＬ層の他面側に設置された電極と、透明電極の一面側に設置された可撓性を有するフィルム基板と、そのフィルム基板に被せて全体を被覆する保護層とを具備した可撓性のある有機ＥＬ素子が知られている（例えば、特許文献２参照。）。
【０００３】
【特許文献１】
特開２００３−１６３０７７号公報（図１）
【特許文献２】
特開２００１−２３７０６４号公報（図１）
【０００４】
【発明が解決しようとする課題】
上記ガラス基板と凹状キャップガラスとを用いた有機ＥＬ素子では、有機ＥＬ層が必要とする低い酸素透過度（１０−４ｃｍ３／ｍ２／ｄａｙ以下）と低い水分透過度（１０−６ｇ／ｍ２／ｄａｙ以下）をガラス基板と凹状キャップガラスとが有しているため、耐久性が高い。しかし、可撓性に欠ける問題点がある。
他方、上記フィルム基板と保護層とを用いた有機ＥＬ素子は可撓性を有している。しかし、有機ＥＬ層が必要とする低い酸素透過度と低い水分透過度をフィルム基板と保護層とが有しておらず、耐久性が低い問題点がある。
そこで、本発明の目的は、可撓性があり且つ耐久性が高いフレキシブル表示素子を提供することにある。
【０００５】
【課題を解決するための手段】
第１の観点では、本発明は、光学特性が電気的に変わる光学体層と、前記光学体層の一面側に設置された透明の第１電極と、前記光学体層の他面側に設置された第２電極と、前記第１電極の一面側に設置された厚さ１０μｍ〜１００μｍの可撓性を有する第１フレキシブル・ガラス基板と、前記第２電極の他面側に設置された厚さ１０μｍ〜１００μｍの可撓性を有する第２フレキシブル・ガラス基板とを具備したことを特徴とするフレキシブル表示素子を提供する。
上記第１の観点によるフレキシブル表示素子では、厚さ１０μｍ以上の第１フレキシブル・ガラス基板と第２フレキシブル・ガラス基板とで挟むように光学体層を封止するため、光学体層が必要とする低い酸素透過度と低い水分透過度が得られ、耐久性が高くなる。そして、第１フレキシブル・ガラス基板と第２フレキシブル・ガラス基板とは、厚さ１００μｍ以下で、可撓性があるため、可撓性のあるフレキシブル表示素子と出来る。
【０００６】
第２の観点では、本発明は、上記構成のフレキシブル表示素子において、前記光学体層が、有機ＥＬ層であることを特徴とするフレキシブル表示素子を提供する。
上記第２の観点によるフレキシブル表示素子では、厚さ１０μｍ以上の第１フレキシブル・ガラス基板と第２フレキシブル・ガラス基板とで挟むように光学体層を封止するため、有機ＥＬ層が必要とする低い酸素透過度（１０−４ｃｍ３／ｍ２／ｄａｙ以下）と低い水分透過度（１０−６ｇ／ｍ２／ｄａｙ以下）が得られ、耐久性が高くなる。そして、第１フレキシブル・ガラス基板と第２フレキシブル・ガラス基板とは、厚さ１００μｍ以下で、可撓性があるため、可撓性のあるフレキシブル有機ＥＬ素子と出来る。
【０００７】
第３の観点では、本発明は、上記構成のフレキシブル表示素子において、前記第１フレキシブル・ガラス基板および前記第２フレキシブル・ガラス基板の少なくとも一方に補強樹脂層を積層したことを特徴とするフレキシブル表示素子を提供する。
上記第３の観点によるフレキシブル表示素子では、フレキシブル・ガラス基板に補強樹脂層を積層したことにより、フレキシブル・ガラス基板が割れにくくなり、補強樹脂層を積層しない場合よりも高い可撓性が得られる。
【０００８】
第４の観点では、本発明は、上記構成のフレキシブル表示素子において、前記光学体層の両面に保護樹脂層を積層したことを特徴とするフレキシブル表示素子を提供する。
上記第４の観点によるフレキシブル表示素子では、光学体層に保護脂層を積層したことにより、光学体層の劣化をさらに防止でき、耐久性を高めることが出来る。
【０００９】
第５の観点では、本発明は、上記構成のフレキシブル表示素子において、前記フレキシブル・ガラス基板は、パイレックス・ガラス板またはテンパックス・ガラス板を研磨して厚さ１０μｍ〜１００μｍとしたものであることを特徴とするフレキシブル表示素子を提供する。
本願発明らの研究によれば、耐熱・硼珪酸ガラスであるパイレックス・ガラス板またはテンパックス・ガラス板を研磨することにより、厚さ１０μｍ〜１００μｍの可撓性を有するフレキシブル・ガラス基板が歩留まり良く得られた。これに対して、青板・ソーダガラスや白板・カリガラスを研磨しても、厚さ１０μｍ〜１００μｍで可撓性を有するフレキシブル・ガラス基板は歩留まり良く得られなかった。
【００１０】
【発明の実施の形態】
以下、図に示す実施の形態により本発明をさらに詳細に説明する。なお、これにより本発明が限定されるものではない。
【００１１】
−第１の実施形態−
図１は、第１の実施形態に係るフレキシブル有機ＥＬ素子１００を示す断面斜視図である。なお、図１では、フレキシブル有機ＥＬ素子１００を撓ませて示してある。
このフレキシブル有機ＥＬ素子１００は、有機ＥＬ層１と、有機ＥＬ層１の一面側に設置された第１透明電極１１と、有機ＥＬ層１の他面側に設置された第２透明電極１２と、第１透明電極１１の一面側に設置された第１フレキシブル・ガラス基板２１と、第２透明電極１２の他面側に設置された第２フレキシブル・ガラス基板２２と、側面をシールするシール材３０とを具備している。
【００１２】
フレキシブル・ガラス基板２１，２２は、パイレックス・ガラスまたはテンパックス・ガラスを研磨して厚さ１０μｍ〜１００μｍとしたものであり、可撓性を有している。
【００１３】
シール材３０は、有機ＥＬ層１が必要とする低い酸素透過度と低い水分透過度を得られる程度に厚くしたエポキシ系樹脂である。
【００１４】
−第２の実施形態−
図２は、第２の実施形態に係るフレキシブル有機ＥＬ素子２００を示す断面斜視図である。なお、図２では、フレキシブル有機ＥＬ素子２００を撓ませて示してある。
このフレキシブル有機ＥＬ素子２００は、有機ＥＬ層１と、有機ＥＬ層１の一面側に設置された第１透明電極１１と、有機ＥＬ層１の他面側に設置された第２透明電極１２と、第１透明電極１１の一面側に設置された第１フレキシブル・ガラス基板２１と、第２透明電極１２の他面側に設置された第２フレキシブル・ガラス基板２２と、第１フレキシブル・ガラス２１の一面側に積層された第１補強樹脂層５１と、第２フレキシブル・ガラス２２の他面側に積層された第２補強樹脂層５２と、側面をシールするシール材３０とを具備している。
【００１５】
フレキシブル・ガラス基板２１，２２は、パイレックス・ガラスまたはテンパックス・ガラスを研磨して厚さ１０μｍ〜１００μｍとしたものであり、可撓性を有している。
【００１６】
補強樹脂層５１，５２は、ポリカーボネート・フィルム、ポリエチレンテレフタレート・フィルム、ポリアリレート・フィルム、ＵＶ硬化型樹脂などである。厚さは、１０μｍ〜１００μｍである。
【００１７】
シール材３０は、有機ＥＬ層１が必要とする低い酸素透過度と低い水分透過度を得られる程度に厚くしたエポキシ系樹脂である。
【００１８】
−第３の実施形態−
図３は、第３の実施形態に係るフレキシブル有機ＥＬ素子３００を示す断面斜視図である。なお、図３では、フレキシブル有機ＥＬ素子３００を撓ませて示してある。
このフレキシブル有機ＥＬ素子３００は、有機ＥＬ層１と、有機ＥＬ層１の一面側に積層された第１保護樹脂層４１と、有機ＥＬ層１の他面側に積層された第２保護樹脂層４２と、第１保護樹脂層４１の一面側に設置された第１透明電極１１と、第２保護樹脂層４２の他面側に設置された第２透明電極１２と、第１透明電極１１の一面側に設置された第１フレキシブル・ガラス基板２１と、第２透明電極１２の他面側に設置された第２フレキシブル・ガラス基板２２と、側面をシールするシール材３０とを具備している。
【００１９】
フレキシブル・ガラス基板２１，２２は、パイレックス・ガラスまたはテンパックス・ガラスを研磨して厚さ１０μｍ〜１００μｍとしたものであり、可撓性を有している。
【００２０】
保護樹脂層４１，４２は、吸水性粒子を分散した紫外線硬化型樹脂である。
【００２１】
シール材３０は、有機ＥＬ層１が必要とする低い酸素透過度と低い水分透過度を得られる程度に厚くしたエポキシ系樹脂である。
【００２２】
−第４の実施形態−
図４は、第４の実施形態に係るフレキシブル有機ＥＬ素子４００を示す断面斜視図である。なお、図４では、フレキシブル有機ＥＬ素子４００を撓ませて示してある。
このフレキシブル有機ＥＬ素子４００は、有機ＥＬ層１と、有機ＥＬ層１の一面側に積層された第１保護樹脂層４１と、有機ＥＬ層１の他面側に積層された第２保護樹脂層４２と、第１保護樹脂層４１の一面側に設置された第１透明電極１１と、第２保護樹脂層４２の他面側に設置された第２透明電極１２と、第１透明電極１１の一面側に設置された第１フレキシブル・ガラス基板２１と、第２透明電極１２の他面側に設置された第２フレキシブル・ガラス基板２２と、第１フレキシブル・ガラス２１の一面側に積層された第１補強樹脂層５１と、第２フレキシブル・ガラス２２の他面側に積層された第２補強樹脂層５２と、側面をシールするシール材３０とを具備している。
【００２３】
フレキシブル・ガラス基板２１，２２は、パイレックス・ガラスまたはテンパックス・ガラスを研磨して厚さ１０μｍ〜１００μｍとしたものであり、可撓性を有している。
【００２４】
保護樹脂層４１，４２は、吸水性粒子を分散した紫外線硬化型樹脂である。
【００２５】
補強樹脂層５１，５２は、ポリカーボネート・フィルム、ポリエチレンテレフタレート・フィルム、ポリアリレート・フィルム、ＵＶ硬化型樹脂などである。厚さは、１０μｍ〜１００μｍである。
【００２６】
シール材３０は、有機ＥＬ層１が必要とする低い酸素透過度と低い水分透過度を得られる程度に厚くしたエポキシ系樹脂である。
【００２７】
−他の実施形態−
有機ＥＬ層１の代わりに、無機ＥＬ層や液晶層などを設けてもよい。
【００２８】
−フレキシブル・ガラス基板の可撓性の試験例−
（１）厚さ５０μｍ，幅１５ｍｍ，長さ５０ｍｍのフレキシブル・ガラス基板を片持梁状に３０ｍｍ突出させて水平に保持し、幅方向の中央かつ長さ方向の自由端から１０ｍｍのポイントに荷重をかけて撓ませたところ、ポイントを約１５ｍｍ押し下げるまで撓ませることが出来た。
（２）厚さ７０μｍ，幅１５ｍｍ，長さ５０ｍｍのフレキシブル・ガラス基板を片持梁状に３０ｍｍ突出させて水平に保持し、幅方向の中央かつ長さ方向の自由端から１０ｍｍのポイントに荷重をかけて撓ませたところ、ポイントを約１０ｍｍ押し下げるまで撓ませることが出来た。
【００２９】
【発明の効果】
本発明のフレキシブル有機ＥＬ素子によれば、厚さ１０μｍ以上の第１フレキシブル・ガラス基板と第２フレキシブル・ガラス基板とで挟むように光学体層を封止するため、光学体層が必要とする低い酸素透過度と低い水分透過度が得られ、耐久性が高くなる。そして、第１フレキシブル・ガラス基板と第２フレキシブル・ガラス基板とは、厚さ１００μｍ以下で、可撓性があるため、可撓性のあるフレキシブル表示素子と出来る。
【図面の簡単な説明】
【図１】第１の実施形態に係るフレキシブル有機ＥＬ素子を示す断面斜視図である。
【図２】第２の実施形態に係るフレキシブル有機ＥＬ素子を示す断面斜視図である。
【図３】第３の実施形態に係るフレキシブル有機ＥＬ素子を示す断面斜視図である。
【図４】第４の実施形態に係るフレキシブル有機ＥＬ素子を示す断面斜視図である。
【符号の説明】
１          有機ＥＬ層
１１        第１透明電極
１２        第２透明電極
２１        第１フレキシブル・ガラス基板
２２        第２フレキシブル・ガラス基板
３０        シール材
４１        第１保護樹脂層
４２        第２保護樹脂層
５１        第１補強樹脂層
５２        第２補強樹脂層
１００      フレキシブル有機ＥＬ素子
【図１】
2005019082.tif 000003
【図２】
2005019082.tif 000004
【図３】
2005019082.tif 000005
【図４】
2005019082.tif 000006